(57)【要約】【課題】視聴者が関心を有するコンテンツを提供する。【解決手段】情報提供システム１の制御装置１０は、視聴者情報取得部１２１と、関心情報取得部１２２と、出力装置選択部１２３と、コンテンツ設定部１２４とを備える。視聴者情報取得部１２１は、出力装置２０によって出力されたコンテンツの視聴者の情報を視聴者情報として取得する。関心情報取得部１２２は、視聴者の前記コンテンツへの関心を関心情報として取得する。出力装置選択部１２３は、視聴者情報に基づいて、複数の出力装置２０のうちから特定出力装置を選択する。コンテンツ設定部１２４は、特定出力装置が出力するコンテンツを関心情報に基づいて設定する。【選択図】図１
2018049380.tif 000002
【特許請求の範囲】
【請求項１】
出力装置によって出力されたコンテンツの視聴者の情報を視聴者情報として取得する視聴者情報取得部と、
前記視聴者の前記コンテンツへの関心を関心情報として取得する関心情報取得部と、
前記視聴者情報に基づいて、複数の出力装置のうちから特定出力装置を選択する出力装置選択部と、
前記特定出力装置が出力するコンテンツを前記関心情報に基づいて設定するコンテンツ設定部と
を備えるコンテンツ制御装置。
【請求項２】
前記視聴者が前記コンテンツを視聴している出力装置の設置場所情報を取得する設置場所取得部をさらに備え、
前記コンテンツ設定部は、前記特定出力装置が出力するコンテンツを前記設置場所情報と前記関心情報とに基づいて設定する、
請求項１に記載のコンテンツ制御装置。
【請求項３】
前記出力装置選択部は、前記出力装置が設置された位置に関する情報に基づいて前記特定出力装置を選択する、請求項１又は２に記載のコンテンツ制御装置。
【請求項４】
前記出力装置選択部は、前記出力装置が設置された場所のカテゴリに関する情報に基づいて前記特定出力装置を選択する、請求項１又は２に記載のコンテンツ制御装置。
【請求項５】
前記出力装置は、前記視聴者が関心を示すことを検出し、前記関心を示したことを検出した時点で前記出力装置によって出力されている前記コンテンツに関する情報を前記関心情報として取得し、前記関心情報を前記コンテンツ制御装置に送信し、
前記関心情報取得部は、前記関心情報を取得する、
請求項１乃至４のうち何れか１項に記載のコンテンツ制御装置。
【請求項６】
前記コンテンツ設定部が前記関心情報に基づいて設定した前記コンテンツを視聴した視聴者に特典を付与する特典付与部をさらに備える、請求項１乃至５のうち何れか１項に記載のコンテンツ制御装置。
【請求項７】
視聴者情報取得部が、出力装置によって出力されたコンテンツの視聴者の情報を視聴者情報として取得することと、
関心情報取得部が、前記視聴者の前記コンテンツへの関心を関心情報として取得することと、
出力装置選択部が、前記視聴者情報に基づいて、複数の出力装置のうちから特定出力装置を選択することと、
コンテンツ設定部が、前記特定出力装置が出力するコンテンツを前記関心情報に基づいて設定することと
を含むコンテンツ制御方法。
【請求項８】
視聴者情報取得部が、出力装置によって出力されたコンテンツの視聴者の情報を視聴者情報として取得することと、
関心情報取得部が、前記視聴者の前記コンテンツへの関心を関心情報として取得することと、
出力装置選択部が、前記視聴者情報に基づいて、複数の出力装置のうちから特定出力装置を選択することと、
コンテンツ設定部が、前記特定出力装置が出力するコンテンツを前記関心情報に基づいて設定することと
を実現させるためのコンテンツ制御プログラム。
【発明の詳細な説明】
【技術分野】
【０００１】
本発明は、コンテンツ制御装置、コンテンツ制御方法及びコンテンツ制御プログラムに関する。
【背景技術】
【０００２】
一般に、インターネット等のネットワークを介して広告を行うシステムが知られている。例えば特許文献１には、広告を希望するユーザが指定した時間帯と地域との情報に基づいて、条件に合った広告媒体を提供する者を検索し、広告の実施の可否を調整するシステムについて開示されている。
【０００３】
一般に、広告等のコンテンツを提供するときに、コンテンツを視聴する者が興味を有する内容を適切に提供する方が、情報は効率よく視聴者に伝達される。例えばある地域に観光客を誘致する広告を提供する場合、当該地域に興味がある視聴者を狙ってその広告を提示した方が、宣伝効果は高くなる。
【先行技術文献】
【特許文献】
【０００４】
【特許文献１】特開２００２−７４５７号公報
【発明の概要】
【発明が解決しようとする課題】
【０００５】
本発明は、視聴者が関心を有するコンテンツを提供することを可能とするコンテンツ制御装置、コンテンツ制御方法及びコンテンツ制御プログラムを提供することを目的とする。
【課題を解決するための手段】
【０００６】
本発明の一態様によれば、コンテンツ制御装置は、出力装置によって出力されたコンテンツの視聴者の情報を視聴者情報として取得する視聴者情報取得部と、前記視聴者の前記コンテンツへの関心を関心情報として取得する関心情報取得部と、前記視聴者情報に基づいて、複数の出力装置のうちから特定出力装置を選択する出力装置選択部と、前記特定出力装置が出力するコンテンツを前記関心情報に基づいて設定するコンテンツ設定部とを備える。
【０００７】
本発明の一態様によれば、コンテンツ制御方法は、視聴者情報取得部が、出力装置によって出力されたコンテンツの視聴者の情報を視聴者情報として取得することと、関心情報取得部が、前記視聴者の前記コンテンツへの関心を関心情報として取得することと、出力装置選択部が、前記視聴者情報に基づいて、複数の出力装置のうちから特定出力装置を選択することと、コンテンツ設定部が、前記特定出力装置が出力するコンテンツを前記関心情報に基づいて設定することとを含む。
【０００８】
本発明の一態様によれば、コンテンツ制御プログラムは、視聴者情報取得部が、出力装置によって出力されたコンテンツの視聴者の情報を視聴者情報として取得することと、関心情報取得部が、前記視聴者の前記コンテンツへの関心を関心情報として取得することと、出力装置選択部が、前記視聴者情報に基づいて、複数の出力装置のうちから特定出力装置を選択することと、コンテンツ設定部が、前記特定出力装置が出力するコンテンツを前記関心情報に基づいて設定することとを実現させる。
【発明の効果】
【０００９】
本発明によれば、視聴者が関心を有するコンテンツを提供することを可能とするコンテンツ制御装置、コンテンツ制御方法及びコンテンツ制御プログラムを提供できる。
【図面の簡単な説明】
【００１０】
【図１】図１は、本発明の一実施形態に係る情報提供システムの構成例の概要を示すブロック図である。
【図２】図２は、出力装置の外観の一例の概要を示す図である。
【図３】図３は、視聴情報の構成の一例を示す図である。
【図４】図４は、推奨情報の構成の一例を示す図である。
【図５】図５は、出力装置情報の構成の一例を示す図である。
【図６】図６は、制御装置の動作の一例を示す図である。
【図７】図７は、出力装置の動作の一例を示す図である。
【発明を実施するための形態】
【００１１】
本発明の一実施形態について図面を参照して説明する。本実施形態は、各地に配置された複数の出力装置に情報コンテンツを出力させることで、各地にいる視聴者に当該出力装置を介して情報を提供する情報提供システムに関する。提供されるコンテンツとしての情報は、商品情報、観光地情報、それらの広告等、さまざまである。この情報提供システムは、例えば各種商品の広告を購買者である視聴者に提示して販売促進を図ったり、観光地の広告を視聴者に提示して観光地に観光客を誘致することを図ったりする場合等に用いられ得る。
【００１２】
［システム構成］
図１は、本実施形態に係る情報提供システム１の構成例の概略を示す図である。図１に示すように、情報提供システム１は、このシステムの動作を制御する制御装置１０を備える。制御装置１０は、例えばインターネットといったネットワーク３０を介して複数の出力装置に接続されている。図１には、一例として、第１の出力装置２０−１と第２の出力装置２０−２と第３の出力装置２０−３とが示されている。出力装置の数は、いくつであってもよい。これらの出力装置は、基本的に同じ構成を有する。以下、第１の出力装置２０−１、第２の出力装置２０−２、第３の出力装置２０−３等を区別せずに、出力装置２０と称することにする。
【００１３】
図２は、出力装置２０の外観の一例の概略を示す。図２に示すように、出力装置２０は、例えば液晶ディスプレイ、又は投影装置等を含む表示装置２１を備える。表示装置２１は、映像を表示し、視聴者に情報を提供する。また、出力装置２０は、例えばスピーカーを含む音声出力装置２２を備える。音声出力装置２２は、音声を出力し、視聴者に情報を提供する。
【００１４】
また、出力装置２０は、例えばデジタルカメラを含む撮影装置２３を備える。撮影装置２３は、視聴者を撮影し、視聴者の特徴、身振り等の画像を取得する。また、出力装置２０は、例えばマイクを含む音声取得装置２４を含む。音声取得装置２４は、視聴者が発する音声を取得する。また、出力装置２０は、例えばキーボード、ボタン、タッチパネル等を含む入力装置２５を備える。例えばタッチパネルは、表示装置２１の表示面上に設けられていてもよい。また、入力装置２５は、例えば各種証明書、カード、バーコード等の情報を読み取るスキャナや、ＮＦＣ（Near Field Communication）規格の通信を行う通信装置等を含み得る。
【００１５】
また、図１に示すように、出力装置２０は、各種演算を行ったり、各種情報を記憶したりする演算・記憶装置２６を備える。演算・記憶装置２６は、各種情報処理を行い、出力装置２０の動作を制御する。また、演算・記憶装置２６には、例えば出力装置２０の固有値である出力装置ＩＤが記録されている。また、出力装置２０は、ネットワーク３０を介して通信を行うための通信装置２７を備える。
【００１６】
制御装置１０は、各種演算を行う演算装置１２と、各種データを記憶している記憶装置１４と、ネットワーク３０を介して出力装置２０等と通信を行うための通信装置１６とを備える。
【００１７】
演算装置１２は、視聴者情報取得部１２１、関心情報取得部１２２、出力装置選択部１２３、コンテンツ設定部１２４、設置場所取得部１２５、特典付与部１２６等としての機能を有する。視聴者情報取得部１２１は、出力装置２０によって出力されたコンテンツの視聴者に係る情報を視聴者情報として取得する。関心情報取得部１２２は、視聴者のコンテンツへの関心を関心情報として取得する。出力装置選択部１２３は、視聴者情報に基づいて、複数の出力装置２０のうちから特定の出力装置２０を選択する。コンテンツ設定部１２４は、選択された特定の出力装置２０が出力するコンテンツを設定する。設置場所取得部１２５は、出力装置２０の設置場所情報を取得する。ここで設置場所情報とは、出力装置２０が設置されている設置位置又は設置場所カテゴリを含む。特典付与部１２６は、コンテンツ設定部１２４が設定したコンテンツを視聴した視聴者に特典を付与する。
【００１８】
記憶装置１４は、例えば出力装置データベース（ＤＢ）１４１、コンテンツＤＢ１４２、視聴情報ＤＢ１４３、推奨情報ＤＢ１４４等を有している。出力装置ＤＢ１４１は、出力装置２０に関する情報である出力装置情報等を含むデータベースである。コンテンツＤＢ１４２は、出力装置２０によって視聴者に提示されるコンテンツの情報が含まれるデータベースである。視聴情報ＤＢ１４３は、出力装置２０によって出力されるコンテンツの視聴者の、視聴者自身の情報、視聴者の関心等を含む視聴情報に関するデータベースである。推奨情報ＤＢ１４４は、出力装置２０毎に出力するとよいコンテンツの情報を含む推奨情報に関するデータベースである。
【００１９】
制御装置１０の演算装置１２、出力装置２０の演算・記憶装置２６などは、集積回路等で構成されている。また、制御装置１０の記憶装置１４、出力装置２０の演算・記憶装置２６等は、半導体メモリ又はハードディスク等を含む。
【００２０】
［システムの動作の概要と情報処理］
本実施形態に係る情報提供システム１は、複数の出力装置２０の各々が、最も効果的なコンテンツを出力するように構成されている。このため、各々の出力装置２０は、視聴者に情報を提供する際に、当該視聴者ついての情報を取得する。出力装置２０が取得する視聴者についての情報を視聴情報と称することにする。出力装置２０は、この視聴情報を制御装置１０に伝達する。制御装置１０は、視聴情報を利用して、各々の出力装置２０が出力するとよいコンテンツに係る推奨情報を設定する。制御装置１０は、推奨情報を各々の出力装置２０へと送信し、出力装置２０に推奨情報に基づく視聴者への情報提供を行わせる。
【００２１】
図３は、出力装置２０が取得し制御装置１０へと送信する視聴情報２００の構成の一例を示す。視聴情報２００は、当該情報を取得した出力装置２０に固有の情報である出力装置ＩＤ２１０を含む。また、視聴情報２００は、視聴者についての情報である視聴者情報２２０を含む。視聴者情報２２０は、例えば、視聴者の国籍２２１、性別２２２、年齢２２３、出身地２２４、住所２２５、所属２２６等の情報を含む。出力装置２０は、これらの情報を、例えば、出力装置２０の撮影装置２３で撮影した視聴者の画像を解析することで取得してもよい。また、出力装置２０は、これらの情報を、視聴者にパスポート、運転免許証等の身分証明書の提示を求め、提示された身分証明書を出力装置２０の入力装置２５で読み取ることで取得してもよい。また、出力装置２０は、これらの情報を、視聴者に対して行ったアンケートの回答結果等に基づいて取得してもよい。
【００２２】
また、視聴情報２００は、関心情報２３０を含む。関心情報２３０は、当該視聴者が関心を示したコンテンツに関する情報である。出力装置２０は、出力装置２０に対する視聴者の操作に基づいて、関心情報を取得してもよい。例えば、出力装置２０は、視聴者が出力装置２０を操作して出力装置２０に提示させたコンテンツを、関心あるコンテンツとする関心情報として取得してもよい。また、出力装置２０が種々の情報を提示している際に、視聴者がある情報が提示されているときに当該情報に関心を示す行動を起こしたとき、出力装置２０は、当該提示されている情報を視聴者が関心を持っている関心情報として取得してもよい。視聴者が示す関心を示す行動の例としては、視聴者が出力装置２０の前で立ち止まる、出力装置２０に近寄る、視聴者が出力装置２０を操作する、視聴者が表示装置２１を凝視する、視聴者の集団が表示装置２１に表示されている情報について話を開始するなどが挙げられる。このように視聴者の関心を取得することで、その時点に出力装置２０で出力されているコンテンツを判定し、該コンテンツに対する視聴者の関心の度合いを示す情報を取得することができる。
【００２３】
上述のような、出力装置ＩＤ２１０、視聴者情報２２０及び関心情報２３０を含む視聴情報２００が、出力装置２０から制御装置１０へと送信される。
【００２４】
制御装置１０の視聴者情報取得部１２１及び関心情報取得部１２２は、第１の出力装置２０−１、第２の出力装置２０−２、第３の出力装置２０−３など、様々な出力装置２０から視聴情報２００を取得し、得られた情報を記憶装置１４に記憶された視聴情報ＤＢ１４３に蓄積する。制御装置１０の出力装置選択部１２３及びコンテンツ設定部１２４は、視聴情報２００に基づいて、出力装置２０へと提供する推奨するコンテンツの情報である推奨情報３００を作成する。
【００２５】
図４は、推奨情報３００の構成の一例を示す。推奨情報３００は、出力装置２０の設置位置に関する設置位置情報３１０と、出力装置２０の設置場所のカテゴリに関する設置場所カテゴリ情報３２０とを含む。
【００２６】
出力装置２０の設置位置とは、例えば、住所、又は緯度及び経度で表されるような出力装置２０が設置されている地点を表す。設置位置についてはそれぞれある程度の範囲を有していてもよい。設置位置情報３１０は、例えば、第１の設置位置３１１に関する情報、第２の設置位置３１２に関する情報、第３の設置位置３１３に関する情報等を含む。これら情報の各々は、推奨されるコンテンツについての情報を含む。例えば、第１の設置位置３１１に関する情報は、推奨されるコンテンツとして、推奨コンテンツａ、推奨コンテンツｂ、推奨コンテンツｃ等を含む。これらコンテンツの内容に関する情報は、コンテンツＤＢ１４２に含まれており、設置位置情報３１０には、対応するコンテンツを指定する情報が含まれている。
【００２７】
例えば、第１の設置位置３１１に関する情報が「東京都」であり、第２の設置位置３１２に関する情報が「大阪府」であるとする。このとき、第１の設置位置３１１に関する情報が含む推奨コンテンツは、広告効率などから東京都に設置された出力装置２０において提供されることが推奨されるコンテンツであり、第２の設置位置３１２に関する情報が含む推奨コンテンツは、広告効率などから大阪府に設置された出力装置２０において提供されることが推奨されるコンテンツである。設置位置については、上述のような都道府県ごとの分類であってもよいし、国ごとの分類であってもよいし、市町村ごとの分類であってもよいし、その他大小さまざまの分類であってもよい。
【００２８】
出力装置２０の設置場所のカテゴリとは、例えば、「駅」、「観光地」、「大学」、「高校」、「病院」、「スーパーマーケット」、「デパート」等といった設置されている場所のカテゴリを表す。設置場所カテゴリ情報３２０は、例えば、第１の設置場所カテゴリ３２１に関する情報、第２の設置場所カテゴリ３２２に関する情報、第３の設置場所カテゴリに関する情報３２３等を含む。第１の設置場所カテゴリ３２１に関する情報は、推奨されるコンテンツとして、推奨コンテンツｊ、推奨コンテンツｋ、推奨コンテンツｌ等を含む。これらコンテンツの内容に関する情報も、コンテンツＤＢ１４２に含まれており、設置場所カテゴリ情報３２０には、対応するコンテンツを指定する情報が含まれている。
【００２９】
例えば、第１の設置場所カテゴリ３２１に関する情報が「駅」であり、第２の設置場所カテゴリ３２２に関する情報が「デパート」であるとする。このとき、第１の設置場所カテゴリ３２１に関する情報が含む推奨コンテンツは、広告効率などから駅に設置された出力装置２０において提供されることが推奨されるコンテンツであり、第２の設置場所カテゴリ３２２に関する情報が含む推奨コンテンツは、広告効率などからデパートに設置された出力装置２０において提供されることが推奨されるコンテンツである。設置場所カテゴリとしては種々のカテゴリが採用され得る。
【００３０】
制御装置１０の出力装置選択部１２３は、取得した視聴情報２００に含まれる視聴者情報２２０に基づいて、出力装置２０の設置位置又は設置場所カテゴリを選択する。制御装置１０の出力装置選択部１２３は、例えば、視聴者情報２２０に含まれる国籍２２１の情報に基づいて、設置位置として国を特定する。また、制御装置１０の出力装置選択部１２３は、例えば、視聴者情報２２０に含まれる出身地２２４、住所２２５などの情報に基づいて、設置位置として都道府県や市町村などを特定する。また、制御装置１０の出力装置選択部１２３は、例えば、視聴者情報２２０に含まれる所属２２６（例えば、所属する学校、会社、クラブ、会員登録の状況等）の情報などに基づいて、設置場所カテゴリを特定する。
【００３１】
また、制御装置１０のコンテンツ設定部１２４は、当該視聴情報２００に含まれる関心情報２３０に基づいて、特定した設置位置又は設置場所カテゴリに対応する推奨コンテンツを決定する。視聴情報２００に含まれる関心情報２３０は、先に述べたように、視聴者情報２２０に対応したコンテンツを示す情報であり、これを参照することで、特定した設置位置又は設置場所カテゴリに対応するコンテンツを推奨コンテンツとして決定することができる。このように視聴情報２００を複数の出力装置２０から取得することによって、制御装置１０は図４に示すような推奨情報３００を作成することができる。以上のようにして、制御装置１０は、出力装置２０から取得した視聴情報２００に基づいて、推奨情報３００を作成し、推奨情報ＤＢ１４４として記憶装置１４に記憶しておく。出力装置２０は推奨情報３００に基づいてコンテンツを出力するので、推奨情報３００の作成は、設置位置又は設置場所カテゴリが特定されることで複数の出力装置２０のうちから選択された特定出力装置について、出力される推奨コンテンツが設定されることに相当する。
【００３２】
また、制御装置１０は、推奨情報３００を作成する際に、視聴情報２００を取得した出力装置２０の設置場所に関する情報を考慮してもよい。設置場所は、制御装置１０の設置場所取得部１２５によって、視聴情報２００に含まれる出力装置ＩＤ２１０に基づいて取得され得る。つまり、制御装置１０は、コンテンツの選択において、設置場所を利用してもよい。例えば設置場所が観光地である場合、制御装置１０は、推奨コンテンツとして、当該観光地に関するコンテンツを選択する。また、制御装置１０は、設置位置又は設置場所カテゴリの選択において、設置場所を利用してもよい。例えば設置場所が東京都である場合、制御装置１０は設置位置として東京都を選択する。また、例えば設置場所がスーパーマーケットである場合、制御装置１０は設置場所カテゴリとしてスーパーマーケットを選択する。このように、推奨情報３００を作成する際に視聴情報２００を取得した出力装置２０の設置場所に関する情報を考慮することで、出力装置２０がより効果的なコンテンツを出力できるようになる推奨情報３００が作成され得る。
【００３３】
また、制御装置１０は、推奨情報を作成する際に、視聴者の性別、年齢などの情報を考慮してもよい。この場合、例えば、制御装置は、性別ごと又は年齢ごとの推奨コンテンツを推奨情報３００に含ませる。出力装置２０は、視聴者の性別、年齢等を判断し、当該判断結果と、推奨情報３００とに基づいて、出力するコンテンツを選択する。
【００３４】
また、制御装置１０の特典付与部１２６は、例えば上述のようにして設定した推奨コンテンツについて、当該コンテンツの視聴者に付与する特典を設定してもよい。特典としては、例えば割引券、優待券等が含まれ得る。
【００３５】
また、制御装置１０は、広告と共に視聴者に特典を付与する際に、その特典の付与の仕方を推奨情報３００に持たせてもよい。例えば、特典として観光地への旅行券などを抽選で視聴者に贈る場合、当選者にその旅行券を使用してもらった方がよい。このため、制御装置１０は、視聴者がより関心を有するように特典の内容を設定したり、より関心がある視聴者に当選するように、当たりくじの配分を決定したりしてもよい。このように特典を設定することで、特典が効率よく利用される。その結果、視聴者は特典を無駄にすることなく利用でき、また、広告提供者は、より高い経済効果等を得ることを期待できる。
【００３６】
制御装置１０の記憶装置１４に含まれる出力装置ＤＢ１４１には、出力装置情報が含まれる。図５は、出力装置情報４００の一例の概略を示す。出力装置情報４００は、第１の出力装置の情報４１０、第２の出力装置の情報４２０、第３の出力装置の情報４３０などを含む。それぞれの出力装置の情報は、出力装置２０ごとに固有の値である出力装置ＩＤと、当該出力装置２０が設置された位置に関する設置位置の情報と、設置された場所のカテゴリに関する設置場所カテゴリの情報とを一組として含む。したがって、制御装置１０は、この出力装置情報４００と、例えば図４に示すような推奨情報３００とに基づいて、各々の出力装置２０において推奨される推奨コンテンツを決定することができる。制御装置１０は、このようにして決定した推奨コンテンツに関する情報を各々の出力装置２０へと送信する。
【００３７】
このような推奨コンテンツに関する情報を取得した出力装置２０は、この推奨コンテンツを利用して、視聴者へのコンテンツの提供を行う。
【００３８】
［情報提供システムの動作］
情報提供システム１の動作について説明する。図６は、制御装置１０の動作の概略の一例を示す。
【００３９】
ステップＳ１０１において、制御装置１０は、何れかの出力装置２０から視聴情報２００を受信したか否かを判定する。視聴情報２００を受信していないとき、処理はステップＳ１０６に進む。一方、視聴情報２００を受信したとき、処理はステップＳ１０２に進む。
【００４０】
ステップＳ１０２において、制御装置１０は、視聴情報２００に含まれる視聴者情報２２０を取得する。ステップＳ１０３において、制御装置１０は、視聴情報２００に含まれる関心情報２３０を取得する。
【００４１】
ステップＳ１０４において、制御装置１０は、取得した視聴情報２００に基づいて、複数の出力装置の中から条件に合う出力装置２０を特定出力装置として選択する。つまり制御装置１０は、出力装置２０の設置位置又は設置場所カテゴリ等を選択することで出力装置２０の選択を行う。この時選択する特定出力装置は１つであってもよく、複数であってもよい。ステップＳ１０５において、制御装置１０は、選択した出力装置２０に関する推奨コンテンツを、取得した関心情報２３０に基づいて設定し、推奨情報３００を更新する。その後、処理はステップＳ１０６に進む。
【００４２】
ステップＳ１０６において、制御装置１０は、出力装置２０の設置位置又は設置場所カテゴリに関する情報ごとに推奨コンテンツが設定された推奨情報３００に基づいて、各々の出力装置２０へと推奨コンテンツに関する情報を配信する。その後、処理はステップＳ１０１に戻り、上述の処理を繰り返す。このようにして、視聴情報２００に基づいて更新された推奨情報３００に基づく推奨コンテンツに関する情報が常に出力装置２０へと提供される。
【００４３】
図７は、出力装置２０の動作の概略の一例を示す。
【００４４】
ステップＳ２０１において、出力装置２０は、制御装置１０から配信された推奨コンテンツを含む情報を受信する。
【００４５】
ステップＳ２０２において、出力装置２０は、視聴者があるか否かを判定する。例えば、出力装置２０は、表示装置２１を見ている視聴者を撮影装置２３で認識することにより、視聴者の有無を判定する。視聴者がいないとき、処理はステップＳ２０１に戻る。一方、視聴者がいるとき、処理はステップＳ２０３に進む。
【００４６】
ステップＳ２０３において、出力装置２０は、推奨コンテンツに関する情報を利用しながらコンテンツを視聴者に提供する。このとき、ステップＳ２０４において、出力装置２０は、視聴者情報２２０と関心情報２３０とを取得する。例えば、出力装置２０は、撮影装置２３で撮影した視聴者の画像を解析したり、コンテンツの視聴中に視聴者が入力装置２５に入力した情報を読み取ったりすることにより、視聴者情報２２０と関心情報２３０とを取得する。ステップＳ２０５において、出力装置２０は、取得した視聴者情報２２０と関心情報２３０とを含む視聴情報２００を制御装置１０へと送信する。その後、処理はステップＳ２０１に戻る。すなわち、視聴者が現れる度に制御装置１０から取得した情報に基づいて当該視聴者にコンテンツを提供しつつ、当該視聴者に関する情報を制御装置１０へと送信する。
【００４７】
なお、上記実施例では、ステップＳ２０２において出力装置２０は、視聴者があるか否かを判定し、視聴者がいる場合に、ステップＳ２０３においてコンテンツを出力したが、これに限られない。ステップＳ２０１で配信情報を受信し、それに応じてコンテンツ出力を行ってもよい。コンテンツ出力中に視聴者があるか否かの判断を行い、視聴者情報及び関心情報の取得を行ってもよい。
【００４８】
本実施形態に係る情報提供システム１によれば、制御装置１０は、視聴者情報２２０と関心情報２３０とを含む視聴情報２００に基づいて作成された推奨情報３００を利用して、出力装置２０の設置位置又は設置場所カテゴリと推奨コンテンツとを設定する。出力装置２０は、この設定に基づいてコンテンツを出力するので、視聴者に応じた効果的であり視聴者が関心を有するコンテンツを出力することができる。
【００４９】
例えば、観光地などに設置された出力装置２０で取得された視聴者情報２２０の住所２２５の情報と関心情報２３０との組み合わせに基づけば、どの地域に住んでいる人が当該観光地のどのような史跡又は施設等に関心があるかの情報が取得され得る。例えば、地域Ａに住んでいる人は史跡ａに関心が強い傾向があり、地域Ｂに住んでいる人は施設ｂに関心が強い傾向がある等である。この情報に基づいて、推奨情報３００が作成される。この推奨情報３００に基づくと、例えば、地域Ａに設置された出力装置２０では、史跡ａを強調した当該観光地への誘致情報を視聴者に提供し、地域Ｂに設置された出力装置２０では、施設ｂを強調した当該観光地への誘致情報を視聴者に提供することができる。また、地域Ｃに住んでいる人は当該観光地をよく訪れるが、地域Ｄに住んでいる人は、当該観光地をあまり訪れないという情報が得られたとする。この場合、当該観光地への誘致情報を、地域Ｃに配置された出力装置２０に重点的に出力させることができる。このように、誘致情報を地域ごとに最適化することで、より効率的な誘致活動が可能になる。
【００５０】
また、例えば、出身地が地域Ｅの人は商品ｃに強い関心を示し、出身地が地域Ｆの人は商品ｄに強い関心を示した場合、情報提供システム１は、地域Ｅでは商品ｃに関する情報を多く提供し、地域Ｆでは商品ｄに関する情報を多く提供する等の調整を行うことができる。
【００５１】
また、大学生が商品ｅに強い関心を示した場合、大学に設置された出力装置２０に商品ｅの情報を多く出力させるとよい。これにより、情報提供システム１は、出力装置２０の設置場所に応じてその出力装置２０の主たる視聴者の購買意欲に適した商品に関する情報を提供することが可能になる。
【００５２】
また、あるデパートに設置された出力装置２０の視聴者が商品ｆに強い関心を示した場合、そのデパート及び他のデパートに設置された出力装置２０に商品ｆの情報を多く出力させるとよい。これにより、情報提供システム１は、同一の設置場所カテゴリにある出力装置２０の視聴者の需要傾向に合わせた商品に関する情報を提供することが可能になる。
【００５３】
また、大阪府内に設置された出力装置２０の視聴者が商品ｇに強い関心を示した場合、大阪府内に設置された他の出力装置２０に商品ｇの情報を多く出力させるとよい。これにより、情報提供システム１は、同一の設置位置にある出力装置２０の視聴者の需要傾向に合わせた商品に関する情報を提供することが可能になる。
【００５４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。
【００５５】
以下に、本願出願の当初の特許請求の範囲に記載された発明を付記する。  
［１］
出力装置によって出力されたコンテンツの視聴者の情報を視聴者情報として取得する視聴者情報取得部と、
前記視聴者の前記コンテンツへの関心を関心情報として取得する関心情報取得部と、
前記視聴者情報に基づいて、複数の出力装置のうちから特定出力装置を選択する出力装置選択部と、
前記特定出力装置が出力するコンテンツを前記関心情報に基づいて設定するコンテンツ設定部と
を備えるコンテンツ制御装置。
［２］
前記視聴者が前記コンテンツを視聴している出力装置の設置場所情報を取得する設置場所取得部をさらに備え、
前記コンテンツ設定部は、前記特定出力装置が出力するコンテンツを前記設置場所情報と前記関心情報とに基づいて設定する、
［１］に記載のコンテンツ制御装置。
［３］
前記出力装置選択部は、前記出力装置が設置された位置に関する情報に基づいて前記特定出力装置を選択する、［１］又は［２］に記載のコンテンツ制御装置。
［４］
前記出力装置選択部は、前記出力装置が設置された場所のカテゴリに関する情報に基づいて前記特定出力装置を選択する、［１］又は［２］に記載のコンテンツ制御装置。
［５］
前記出力装置は、前記視聴者が関心を示すことを検出し、前記関心を示したことを検出した時点で前記出力装置によって出力されている前記コンテンツに関する情報を前記関心情報として取得し、前記関心情報を前記コンテンツ制御装置に送信し、
前記関心情報取得部は、前記関心情報を取得する、
［１］乃至［４］のうち何れか一に記載のコンテンツ制御装置。
［６］
前記コンテンツ設定部が前記関心情報に基づいて設定した前記コンテンツを視聴した視聴者に特典を付与する特典付与部をさらに備える、［１］乃至［５］のうち何れか一に記載のコンテンツ制御装置。
［７］
視聴者情報取得部が、出力装置によって出力されたコンテンツの視聴者の情報を視聴者情報として取得することと、
関心情報取得部が、前記視聴者の前記コンテンツへの関心を関心情報として取得することと、
出力装置選択部が、前記視聴者情報に基づいて、複数の出力装置のうちから特定出力装置を選択することと、
コンテンツ設定部が、前記特定出力装置が出力するコンテンツを前記関心情報に基づいて設定することと
を含むコンテンツ制御方法。
［８］
視聴者情報取得部が、出力装置によって出力されたコンテンツの視聴者の情報を視聴者情報として取得することと、
関心情報取得部が、前記視聴者の前記コンテンツへの関心を関心情報として取得することと、
出力装置選択部が、前記視聴者情報に基づいて、複数の出力装置のうちから特定出力装置を選択することと、
コンテンツ設定部が、前記特定出力装置が出力するコンテンツを前記関心情報に基づいて設定することと
を実現させるためのコンテンツ制御プログラム。
【符号の説明】
【００５６】
１…情報提供システム、１０…制御装置、１２…演算装置、１４…記憶装置、１６…通信装置、２０…出力装置、２０−１…第１の出力装置、２０−２…第２の出力装置、２０−３…第３の出力装置、２１…表示装置、２２…音声出力装置、２３…撮影装置、２４…音声取得装置、２５…入力装置、２６…演算・記憶装置、２７…通信装置、３０…ネットワーク、１２１…視聴者情報取得部、１２２…関心情報取得部、１２３…出力装置選択部、１２４…コンテンツ設定部、１２５…設置場所取得部、１２６…特典付与部。
【図１】
2018049380.tif 000003
【図２】
2018049380.tif 000004
【図３】
2018049380.tif 000005
【図４】
2018049380.tif 000006
【図５】
2018049380.tif 000007
【図６】
2018049380.tif 000008
【図７】
2018049380.tif 000009